(57)【特許請求の範囲】
【請求項１】
マンホールの枠体に嵌め込まれる蓋体をロックするために当該蓋体に取り付けられるロック装置であって、
垂直軸孔を上下方向に配置し上下方向中間部において半径方向外側へ張り出す固定板部を前記蓋体の下面にボルト止めして当該蓋体に固着される固定外筒と、当該固定外筒の垂直軸孔に回転可能に嵌め込まれる主軸と、当該主軸の回転に連動して前記枠体側の受部と係脱するラッチ部材と、前記固定外筒の垂直軸孔に回転可能かつ前記主軸に係合離脱自在に嵌め込まれる交換軸部材とを具備し、
前記主軸は、角穴付きの頭部を上端に有し、
前記交換軸部材は、前記主軸の角穴に係合、離脱可能な角軸部を下部に有すると共に、マンホール管理者が持つ操作工具を係合させるための、前記主軸の角穴とは形状の異なる異形角穴付きの頭部を上部に有する複数種のものからなり、
前記複数種の交換軸部材は、それぞれ形状の異なる異形角穴を上部に有し、
前記交換軸部材を変えることにより、複数の形状の異なる別の操作工具に対応可能に構成され、
前記固定外筒は、前記固定板部の上下方向中間部において、上固定板部を有する上筒部と下固定板部を有する下筒部とに上下に２分割され、前記上固定板部と下固定板部において相互に接続分離可能に構成され、
前記主軸は、前記下筒部の垂直軸孔部内に挿入され、
前記上筒部の垂直軸孔部は、下端において前記交換軸部材を回転可能に収容する大径孔部と、当該大径孔部の上方に段部を介して連続する小径孔部とを具備し、
前記交換軸部材は、前記上筒部の大径孔部内に挿入され、前記段部により上方へ抜け止めされることを特徴とするマンホール蓋用ロック装置。
【請求項２】
前記上固定板部と前記下固定板部は、前記ボルトを挿通して共締めするためのボルト孔を具備すると共に、いずれか一方は位置決め用ボスを具備し、他方は当該位置決め用ボスを嵌合させる位置決め孔を具備することを特徴とする請求項１に記載のマンホール蓋用ロック装置。
【発明の詳細な説明】
【技術分野】
【０００１】
本発明は、通信ケーブルや送電ケーブル、上下水道管等が敷設された地下共同溝等の出入り口であるマンホールに装備される蓋のロック装置に関する。
【背景技術】
【０００２】
従来、マンホールの枠体に嵌め込まれる蓋体をロックするために当該蓋体に取り付けられるロック装置として、特許文献１に記載されるものが知られている。
この装置は、垂直軸孔を上下方向に配置して蓋体に固着される固定外筒と、この固定外筒の垂直軸孔に回転可能に嵌め込まれる主軸と、この主軸の回転に連動して枠体側の受部と係脱するラッチ部材とを具備する。主軸は、マンホール管理者が持つ固有の操作工具を係合させるための角穴付きの頭部を上端に有する。マンホール管理者が持つ固有の操作工具によらなければ容易にマンホール蓋のロックを解除することができないようになっている。なお、特許文献１に記載のマンホール蓋用ロック装置においては、さらにマンホールのセキュリティを向上させるため、主軸の上部に錠ユニットが付設され、かつ錠ユニットの挿入の可否によってロック状態と非ロック状態を明確に判別することができる構造になっている。
【先行技術文献】
【特許文献】
【０００３】
【特許文献１】特開２００７-３２２３０号公報
【発明の概要】
【発明が解決しようとする課題】
【０００４】
マンホールは、地下設備の種類毎に管理者が異なり、その蓋の開閉には、管理者毎に異なる固有の形状の操作工具が用いられる。このため、従来のマンホール蓋用ロック装置においては、異なる複数のマンホール管理者の固有の操作工具に対応するために、主軸頭部の角穴をマンホール管理者毎に変更して製作する必要があり、これが製作コストを引き上げる一因となっている。
したがって、本発明は、主軸頭部の角穴をマンホール管理者毎に変更して製作することなく、異なる複数のマンホール管理者の固有の操作工具に安価に対応できるマンホール蓋用ロック装置を提供することを目的としている。
【課題を解決するための手段】
【０００５】
以下、添付図面の符号を参照して説明するが、本発明はこれに限定されるものではない。
上記課題を解決するための、本発明のマンホール蓋用ロック装置１は、垂直軸孔２４を上下方向に配置して蓋体Ｌに固着される固定外筒２と、固定外筒２の垂直軸孔２４に回転可能に嵌め込まれる主軸３と、主軸３の回転に連動してマンホール枠体Ｆ側の受部Ｆａと係脱するラッチ部材４と、固定外筒２の垂直軸孔２４に回転可能かつ主軸３に係合離脱自在に嵌め込まれる交換軸部材５とを具備する。主軸３は、角穴３１付きの頭部３２を上端に有する。交換軸部材５は、主軸３の角穴３１に係合、離脱可能な角軸部５１を下部に有すると共に、マンホール管理者が持つ操作工具を係合させるための、主軸の角穴３１とは形状の異なる異形角穴５３付きの頭部５２を上部に有する複数種のものからなる。固定外筒２は、固定板部２３の上下方向中間部において、上固定板部２３１を有する上筒部２１と下固定板部２３２を有する下筒部２２とに上下に２分割され、上固定板部２３１と下固定板部２３２において相互に接続分離可能に構成される。主軸３は、下筒部２２の垂直軸孔部２４２内に挿入される。上筒部２１の垂直軸孔部２４１は、下端において交換軸部材５を回転可能に収容する大径孔部２４１ａと、当該大径孔部２４１ａの上方に段部２４１ｂを介して連続する小径孔部２４１ｃとを具備する。交換軸部材５は、大径孔部２４１ａ内に挿入され、段部２４１ｂにより上方へ抜け止めされる。
【発明の効果】
【０００６】
本発明のマンホール蓋用ロック装置１は、主軸頭部３２の角穴３１を異なる操作工具毎に変更して製作することなく、異なる異形角穴５３を上部に有する複数種の交換軸部材５を交換して装着するだけで、複数種の操作工具に安価に対応できるという効果を有する。
【図面の簡単な説明】
【０００７】
【図１】本発明に係るマンホール蓋用ロック装置のキャップを外した状態の平面図である。
【図２】図１のＩＩ−ＩＩ断面図である。
【図３】図１のマンホール蓋用ロック装置の外観斜視図である。
【図４】図１のマンホール蓋用ロック装置における下筒部の平面図である。
【図５】図４のＶ−Ｖ断面図である。
【図６】図１のマンホール蓋用ロック装置における交換軸部材を装着した状態の下筒部の平面図である。
【図７】図５のＶＩＩ−ＶＩＩ断面図である。
【図８】図１のマンホール蓋用ロック装置の分解斜視図である。
【発明を実施するための形態】
【０００８】
図面を参照して本発明の実施の形態を説明する。
図１，２において、マンホール蓋Ｌに装着されるロック装置１は、蓋体Ｌに固着される固定外筒２と、固定外筒２に回転自在に嵌め込まれる主軸３と、主軸３の回転に連動してマンホール枠体Ｆ側の受部Ｆａと係脱するラッチ部材４と、主軸３の上部に着脱自在に嵌合するように固定外筒２に回転自在に嵌め込まれる交換軸部材５とを具備する。
固定外筒２は、垂直軸孔２４を上下方向に配置して固定板部２３を介して蓋体Ｌに固着される。固定外筒２は、固定板部２３の上下方向中間部において上下に２分割された上筒部２１と下筒部２２とからなる。上下筒部２１，２２は、上固定板部２３１と下固定板部２３２において相互に接続、分離可能に構成される。
【０００９】
上筒部２１の垂直軸孔部２４１と下筒部２２の垂直軸孔部２４２が上下に連続して垂直軸孔２４を形成する。上筒部２１の垂直軸孔部２４１は、下端の大径孔部２４１ａとその上方の小径孔部２４１ｃとで形成され、大径孔部２４１ａにおいて下筒部２２の垂直軸孔部２４２に連続する。小径孔部２４１ｃと大径孔部２４１ａとの間に段部２４１ｂが形成される。垂直軸孔部２４１の上端開口部には、内周ねじ部２４１ｄが形成され、これにキャップ６が螺合され、垂直軸孔２４は閉塞される。
【００１０】
上下固定板部２３１，２３２は、ボルトを挿通して蓋Ｌの下面に共締めするためのボルト孔２３１ａ、２３２ａをそれぞれ具備する。下固定板部２３２は、上面に突出する位置決め用ボス２３２ｂを具備し、上固定板部２３１は、ボス２３１ｂを嵌合させる位置決め孔１３２ｂを具備する。
【００１１】
主軸３は、六角穴３１付きの頭部３２を上端に具備し、下筒部２２の垂直軸孔部２４２内に回転自在に挿入される。
【００１２】
交換軸部材５は、上筒部２１の大径孔部２４１ａ内に回転自在に挿入され、段部２４１ｂにより上方へ抜け止めされる。
【００１３】
交換軸部材５について説明する。交換軸部材５は、主軸３の六角穴３１に係合する六角軸部５１を下部に有すると共に、頭部５２の上面側に主軸３の六角穴３１とは形状の異なる異形角穴５３（図６，７において四角穴）を上部に有する。図６，７によく示すように、交換軸部材５は、角軸部５１を主軸３の六角穴３１に嵌合させて主軸３に接続される。
【００１４】
交換軸部材５を主軸３に接続した後、図１，２に示すように、上下固定板部２３１，２３２を接合し、上筒部２１と下筒部２２とを組み合わせる。この状態において、交換軸部材５の頭部５２は、上筒部２１の大径孔部２４１ａ内に配置される。
【００１５】
交換軸部材５の頭部５２の外径は、それの上方の小径孔部２４１ｃの内径よりも大きく設定される。したがって、交換軸部材５は、大径孔部２４１ａ内で回転自在であるが、段部２４１ｂにより上方へ抜け止めされる。したがって、マンホールから外した蓋Ｌをどのような姿勢で移動、保管しても、交換軸部材５が垂直軸孔２４から抜け落ちることがない。
【００１６】
交換軸部材５は、このロック装置１を採用するマンホール管理者の操作工具の形状に対応するために、異形角穴５３の形状の異なるものが複数種類用意される。図８には、四角穴５３付きの交換軸部材５ａと半月型角穴５３付きの交換軸部材５ｂを示したが、これに限定されない。
【００１７】
したがって、ロック装置１は、交換軸部材５の異形角穴５３に適合する異形角軸部を有するマンホール管理者が持つ操作工具で、交換軸部材５を介して主軸３を回転操作し、ロック、非ロックの操作をすることができる。
【００１８】
すなわち、複数の異なるマンホール管理者に対し、主軸３の頭部の角穴３１を各マンホール管理者に固有の形状に変更して製作することなく、それぞれのマンホール管理者が用いる操作工具に対応した異形状の交換軸部材５を製作して付加するだけで、複数のマンホール管理者の固有の操作工具に対応したロック装置を安価に提供できるという効果を有する。
【符号の説明】
【００１９】
１      ロック装置
２      固定外筒
２１    上筒部
２２    下筒部
２３    固定板部
２３１  上固定板部
２３１ａ  ボルト孔
２３１ｂ  位置決め孔
２３２  下固定板部
２３２ａ  ボルト孔
２３２ｂ  ボス
２４    垂直軸孔
２４１  上垂直軸孔部
２４１ａ  大径部
２４１ｂ  段部
２４１ｃ  小径部
２４１ｄ  ねじ部
２４２    下垂直軸孔部
３      主軸
３１    角穴（六角穴）
３２    頭部
４      ラッチ部材
５      交換軸部材
５１    角軸部（六角軸部）
５２    頭部
５３    異形角穴
６      キャップ
Ｆ      マンホール枠体
Ｆａ    受け部
Ｌ      マンホール蓋
【要約】
【課題】複数の異形状の操作工具に安価に対応できるマンホール蓋用ロック装置を提供する。
【解決手段】ロック装置１は、垂直軸孔２４を有し蓋体Ｌに固着される固定外筒２と、垂直軸孔２４に回転可能に嵌め込まれる主軸３と、主軸３の回転に連動してマンホール枠体Ｆ側の受部Ｆａと係脱するラッチ部材４と、着脱自在の交換軸部材５とを具備する。主軸３は、交換軸部材５の下部の角軸部５１を係脱させる角穴３１付きの頭部３２を有する。交換軸部材５は、主軸３の角穴３１とは形状の異なる異形角穴５３を上部に有する。形状の異なる複数の交換軸部材５を製作すれば、交換軸部材５の交換で、形状の異なる操作工具で主軸３を回転操作できる。
【選択図】図１【図１】
0006917498.tif 000002
【図２】
0006917498.tif 000003
【図３】
0006917498.tif 000004
【図４】
0006917498.tif 000005
【図５】
0006917498.tif 000006
【図６】
0006917498.tif 000007
【図７】
0006917498.tif 000008
【図８】
0006917498.tif 000009